(57)【要約】【課題】操作性に優れた包装体を提供すること。【解決手段】包装体１は、袋状をなし、その内側を手術室における不潔域とし、外側を手術室における清潔域として仕切り、不潔域に向かって医療器具が挿入される挿入口２１と、挿入口２１と反対側の部分が閉塞する閉塞部２２とを有する袋体２と、袋体２を収納する袋状の包材３とを備えている。また、包材３は、挿入口２１に対応する部分に設けられ、その部分を開封するための第１の開封部３３と、閉塞部側に対応する部分に設けられ、その部分を開封するための第２の開封部３４とを有している。【選択図】図２
2012200439.tif 000002
【特許請求の範囲】
【請求項１】
袋状をなし、その内側を手術室における不潔域とし、外側を前記手術室における清潔域として仕切り、前記不潔域に向かって医療器具が挿入される挿入口と、該挿入口と反対側の部分が閉塞する閉塞部とを有する袋体と、
前記袋体を収納する袋状の包材とを備え、
前記包材は、前記挿入口に対応する部分に設けられ、当該部分を開封するための第１の開封部と、前記閉塞部側に対応する部分に設けられ、当該部分を開封するための第２の開封部とを有することを特徴とする包装体。
【請求項２】
前記第１の開封部および前記第２の開封部の少なくとも一方の開封部は、切断により開封されるよう構成されている請求項１に記載の包装体。
【請求項３】
前記袋体は、前記包材が前記一方の開封部で開封された際、前記包材から突出する請求項２に記載の包装体。
【請求項４】
前記一方の開封部は、ティアテープを有する請求項２または３に記載の包装体。
【請求項５】
前記第１の開封部および前記第２の開封部のうちの前記第１の開封部が前記第２の開封部に先行して開封される請求項１ないし４のいずれかに記載の包装体。
【請求項６】
前記第１の開封部を開封した後から前記第２の開封部を開封する以前に、前記挿入口から医療器具が挿入される請求項５に記載の包装体。
【請求項７】
前記包材は、前記第１の開封部および前記第２の開封部以外の部分が前記袋体と接合されている請求項１ないし６のいずれかに記載の包装体。
【請求項８】
前記袋体は、前記挿入口からその反対側の部分を内側かまたは外側に向かってつづら折り状に複数折り曲げられた折り曲げ部を有し、前記第１の開封部が開封した状態で前記各折り曲げ部を伸長して用いられ、
前記包材は、前記各折り曲げ部を伸長する際に把持される把持部として機能する請求項７に記載の包装体。
【請求項９】
前記医療器具は、電源と電気的に接続されるケーブルを有するものであり、
前記袋体の前記各折り曲げ部を伸長した部分は、前記ケーブルを覆う請求項８に記載の包装体。
【請求項１０】
前記医療器具は、カテーテルと、該カテーテルに挿入される長尺状の医療用長尺体とを有するカテーテル組立体に接続され、該カテーテル組立体をその軸方向に沿って移動するとともに、前記医療用長尺体をその軸回りに回転する駆動源となるものである請求項１ないし９のいずれかに記載の包装体。
【請求項１１】
前記袋体は、前記カテーテル組立体が挿入され、前記医療器具に接続される接続口を、前記挿入口とは異なる部分に有する請求項１０に記載の包装体。
【発明の詳細な説明】
【技術分野】
【０００１】
本発明は、包装体に関する。
【背景技術】
【０００２】
血管等の生体管腔内に挿入して、当該管腔内を超音波等により診断するのに用いられる医療システムが知られている（例えば、特許文献１参照）。
【０００３】
特許文献１に記載の医療システムは、ルーメンを有するカテーテル本体と、カテーテル本体のルーメンに挿入され、先端部に超音波を発する超音波発振部を有するシャフトとを有するカテーテル組立体と、カテーテル組立体が接続され、カテーテル組立体を変位駆動する駆動装置とを備えている。医療システムでは、駆動装置の作動によりカテーテル内に挿入されているシャフトをその軸回りに回転させるとともに基端方向に移動させて、血管壁の超音波画像を取得することができる。また、駆動装置は、通常、滅菌袋内に収納された状態で用いられる。
【０００４】
ところで、滅菌袋は、未だ駆動装置を収納していない状態、すなわち、未使用状態では、２枚のシート材の縁部同士を融着して袋状にした包材に収納されている。この包材には、シート材同士の融着部を剥離可能な部分が１箇所（以下この部分を「剥離可能部」と言う）だけ設けられている。そして、滅菌袋に駆動装置を挿入して収納するときには、まず、剥離可能部を剥離して、包材を開封する操作を行なう。次に、滅菌袋の駆動装置を挿入する挿入口を開口する操作を行なうために、包材から滅菌袋を取り出して、駆動装置を挿入していた。また、カテーテル組立体は、清潔者が取り扱わなければならず、駆動装置は、不潔者が取り扱わなければならないため、清潔者と不潔者とが交互に作業を行う必要があった。
【０００５】
このように、特許文献１に記載の医療システムでは、滅菌袋に駆動装置を挿入して当該駆動装置が使用可能な状態となるまでに、少なくとも３つの操作、すなわち、包材開封操作と、滅菌袋取り出し操作と、滅菌袋の挿入口開口操作とを行なっており、さらには、清潔者と不潔者との交互の作業が必要なため、その結果、全体として使用時の操作が煩雑となり、迅速な手技を行なうことが困難であった。
【先行技術文献】
【特許文献】
【０００６】
【特許文献１】特開平１１−２４４２９０号公報
【発明の概要】
【発明が解決しようとする課題】
【０００７】
本発明の目的は、操作性に優れた包装体を提供することにある。
【課題を解決するための手段】
【０００８】
このような目的は、下記（１）〜（１１）の本発明により達成される。
（１）  袋状をなし、その内側を手術室における不潔域とし、外側を前記手術室における清潔域として仕切り、前記不潔域に向かって医療器具が挿入される挿入口と、該挿入口と反対側の部分が閉塞する閉塞部とを有する袋体と、
前記袋体を収納する袋状の包材とを備え、
前記包材は、前記挿入口に対応する部分に設けられ、当該部分を開封するための第１の開封部と、前記閉塞部側に対応する部分に設けられ、当該部分を開封するための第２の開封部とを有することを特徴とする包装体。
【０００９】
（２）  前記第１の開封部および前記第２の開封部の少なくとも一方の開封部は、切断により開封されるよう構成されている上記（１）に記載の包装体。
【００１０】
（３）  前記袋体は、前記包材が前記一方の開封部で開封された際、前記包材から突出する上記（２）に記載の包装体。
【００１１】
（４）  前記一方の開封部は、ティアテープを有する上記（２）または（３）に記載の包装体。
【００１２】
（５）  前記第１の開封部および前記第２の開封部のうちの前記第１の開封部が前記第２の開封部に先行して開封される上記（１）ないし（４）のいずれかに記載の包装体。
【００１３】
（６）  前記第１の開封部を開封した後から前記第２の開封部を開封する以前に、前記挿入口から医療器具が挿入される上記（５）に記載の包装体。
【００１４】
（７）  前記包材は、前記第１の開封部および前記第２の開封部以外の部分が前記袋体と接合されている上記（１）ないし（６）のいずれかに記載の包装体。
【００１５】
（８）  前記袋体は、前記挿入口からその反対側の部分を内側かまたは外側に向かってつづら折り状に複数折り曲げられた折り曲げ部を有し、前記第１の開封部が開封した状態で前記各折り曲げ部を伸長して用いられ、
前記包材は、前記各折り曲げ部を伸長する際に把持される把持部として機能する上記（７）に記載の包装体。
【００１６】
（９）  前記医療器具は、電源と電気的に接続されるケーブルを有するものであり、
前記袋体の前記各折り曲げ部を伸長した部分は、前記ケーブルを覆う上記（８）に記載の包装体。
【００１７】
（１０）  前記医療器具は、カテーテルと、該カテーテルに挿入される長尺状の医療用長尺体とを有するカテーテル組立体に接続され、該カテーテル組立体をその軸方向に沿って移動するとともに、前記医療用長尺体をその軸回りに回転する駆動源となるものである上記（１）ないし（９）のいずれかに記載の包装体。
【００１８】
（１１）  前記袋体は、前記カテーテル組立体が挿入され、前記医療器具に接続される接続口を、前記挿入口とは異なる部分に有する上記（１０）に記載の包装体。
【発明の効果】
【００１９】
本発明によれば、包材の第１の開封部に対する開封操作の直後に、包材から袋体を取り出す操作を省略して、当該袋体の挿入口に対する開口操作を迅速に行うことができる。これにより、例えば包材開封操作と滅菌袋取り出し操作と袋体の挿入口開口操作とを順に個別に行う場合に比べて、使用時の操作の煩雑さが低減される。
【００２０】
また、包材の第２の開封部に対する開封操作の直後に、袋体の閉塞部およびその近傍を、清潔域への進入を許可された操作者が触れることができ、その後の操作（例えば医療器具に対する操作）を迅速に行なうことができる。
このように本発明は、操作性に優れたものとなっている。
【図面の簡単な説明】
【００２１】
【図１】本発明の包装体の使用方法を順に説明するための平面図である。
【図２】本発明の包装体の使用方法を順に説明するための平面図である。
【図３】本発明の包装体の使用方法を順に説明するための平面図である。
【図４】本発明の包装体の使用方法を順に説明するための平面図である。
【図５】本発明の包装体の使用方法を順に説明するための平面図である。
【図６】本発明の包装体の使用方法を順に説明するための平面図である。
【図７】図４中のＡ−Ａ線断面図である。
【発明を実施するための形態】
【００２２】
以下、本発明の包装体を添付図面に示す好適な実施形態に基づいて詳細に説明する。
図１〜図６は、それぞれ、本発明の包装体の使用方法を順に説明するための平面図、図２は、図４中のＡ−Ａ線断面図である。なお、以下では、説明の都合上、図１〜図７中右側を「基端」、左側を「先端」と言う。
【００２３】
図１〜図６に示す包装体１は、医療装置（医療器具）２０を収納する袋体（ドレープ）２と、未使用状態の袋体２を収納する包材３とを備えている。以下、各部の構成について説明する。
【００２４】
まず、包装体１について説明する前に、医療装置２０について説明する。
図６に示すように、医療装置２０は、袋体２に収納された状態で、カテーテル組立体３０に接続されて、当該カテーテル組立体３０を変位駆動する駆動源である。
【００２５】
なお、カテーテル組立体３０は、カテーテル３０１と、カテーテル３０１に挿入されるドライブシャフト（医療用長尺体）３０２とで構成されている。そして、このカテーテル組立体３０は、生体管腔（以下では「血管」を代表的に扱う）内に挿入されて、その画像を取得することができる。
【００２６】
カテーテル３０１は、チューブ状をなし、その先端部にガイドワイヤ５０が挿通される管状の挿通部３０３を有するカテーテル本体３０４と、カテーテル本体３０４の基端部に固定され、医療装置２０に接続されるコネクタ（カテーテル側コネクタ）３０５とで構成されている。
【００２７】
ドライブシャフト３０２は、長尺状をなし、例えば、その先端部に超音波振動子（図示せず）が配置され、基端部が医療装置２０に接続されるものである。そして、医療装置２０に内蔵されているスキャナで、超音波振動子から発せられる超音波が血管壁で反射した反射波に基づいて、血管壁の超音波画像を形成することができる。
【００２８】
医療装置２０は、カテーテル組立体３０が接続される接続部２０１を有している。そして、この接続状態で、医療装置２０は、カテーテル組立体３０をその軸方向に沿って移動するとともに、ドライブシャフト３０２をその軸回りに回転することができるよう構成されている。これにより、血管に対して任意の位置で、その周方向全周にわたって、超音波画像である血管内の断層画像が得られる。
【００２９】
なお、カテーテル組立体３０を変位させる構成としては、特に限定されないが、例えば、モータとリニアガイドとを有するものが挙げられる。
【００３０】
また、図６に示すように、医療装置２０は、例えば約２ｍのケーブル２０２を有している。このケーブル２０２の端部には、図示しないコンソールの接続端子４０と電気的に接続されるコネクタ（装置側コネクタ）２０３が配置されている。医療装置２０では、コネクタ２０３を接続端子４０に差し込むと、当該接続端子４０から電力が供給され、前述したようにカテーテル組立体３０を変位させることができる。
【００３１】
次に、包装体１について説明する。
前述したように、包装体１は、袋体２と包材３とを備えている。
【００３２】
袋体２は、その基端が開口した開口部である挿入口２１と、先端が閉塞した閉塞部２２とを有する、全体として長尺な袋状をなすものである。また、袋体２の先端部は、その幅が先端方向に向かって漸減している。
【００３３】
この袋体２は、折り畳まれた折畳み状態（図１〜図３に示す状態）で包材３に収納され、折畳み状態から展開した展開状態（図５、図６に示す状態）で使用される。このように折畳み状態で袋体２が包材３に収納されていることにより、未使用状態の包装体１が小型化のものとなり、よって、当該包装体１を容易に持ち運ぶことができる。
【００３４】
また、袋体２は、滅菌されており、その内側を手術室における不潔域１０ａとし、外側を手術室における清潔域１０ｂとして仕切ることができる。この不潔域１０ａとなる、袋体２の内部空間には、挿入口２１から医療装置２０を挿入することができる。また、清潔域１０ｂとなる、袋体２の外側からは、滅菌されているカテーテル組立体３０を医療装置２０に向けて接続することができる。
【００３５】
袋体２の長手方向の途中、すなわち、挿入口２１と閉塞部２２との間の部分には、接続口２３が設けられている。図６に示すように、接続口２３には、袋体２に挿入された医療装置２０の接続部２０１が位置する。そして、接続口２３を介して、カテーテル組立体３０の基端部を挿入することができ、当該基端部を医療装置２０の接続部２０１に確実に接続することができる。なお、接続口２３の平面視での形状は、図示の構成では円形であるが、これに限定されず、例えば、楕円形、多角形等であってもよい。また、接続口２３には、カテーテル組立体３０と医療装置２０との接続を補助するアダプタが装着されていてもよい。
【００３６】
図７に示すように、袋体２は、挿入口２１から先端側（その反対側）の接続口２３に至る前の部分が蛇腹状に折り畳まれている、すなわち、外側に向かってつづら折り状に複数回折り曲げられている。また、図１〜図３に示すように、袋体２の閉塞部２２から基端側の接続口２３に至る前の部分も１回折り曲げられている。このような折り曲げにより、袋体２の折畳み状態での全長を、展開状態での全長よりも短くすることができ、包装体１の小型化に寄与する。
【００３７】
そして、挿入口２１側の前記折り曲げられた複数（図７に示す構成では４つ）の折り曲げ部２４１、２４２、２４３、２４４のうち、最も外側に位置する折り曲げ部２４４の近傍は、後述する接合部材４ａ、４ｂが配されて、袋体２と包材３とを接合する「接合代」となる。
【００３８】
また、図５、図６に示すように、包材３が開封した状態では、各折り曲げ部２４１〜２４４は、一括して伸長され、袋体２の閉塞部２２側の折り曲げ部２４５も伸長される。これにより、袋体２が展開することとなる。また、各折り曲げ部２４１〜２４４を伸長した部分で、非滅菌状態の医療装置２０のケーブル２０２を覆うことができ、よって、不潔域１０ａと清潔域１０ｂとを確実に仕切ることができる。
【００３９】
袋体２の構成材料としては、それぞれ、特に限定されず、例えば、ポリエステル、ポリエチレン、ポリプロピレン、ポリアミド（ナイロン）、ポリスチレン、ポリ塩化ビニル、アクリル系樹脂、あるいはこれらを複合した材料が挙げられる。また、袋体２では、その内部の視認性を確保するために、全体が透明性を有している。
【００４０】
図１に示すように、包材３は、袋体２を収納する袋状のものである。この包材３は、平面視で、折畳み状態の袋体２の面積よりも大きい、すなわち、折畳み状態の袋体２を包含する２枚のシート材３１、３２で構成されている。シート材３１、３２は、それぞれ、平面視での形状が四角形状をなす。
【００４１】
シート材３１の構成材料としては、それぞれ、特に限定されず、例えば、ポリエステル、ポリエチレン、ポリプロピレン、ポリアミド（ナイロン）、ポリスチレン、ポリ塩化ビニル、アクリル系樹脂、あるいはこれらを複合した材料が挙げられる。また、包シート材３１では、その内部の視認性を確保するために、全体が透明性を有している。
【００４２】
一方、シート材３２は、空気は通過するがゴミ、塵、埃等の異物は通過できず、さらに、細菌が発生しない、菌不透過性を有する材料で構成されている。これにより、袋体２を収納した包材３を滅菌処理した際に、シート材３２により、滅菌のための気体の流通性が確保され、袋体２に対する滅菌を良好に行なうことができる。なお、このようなシート材３２は、織布（布地）、不織布、紙類、メッシュ、発泡体やその他の多孔質体等で構成することができる。
【００４３】
また、シート材３１および３２の縁部同士は、融着（熱融着、高周波融着、超音波融着等）されている。これにより、シート材３１とシート材３２とで画成された空間内に袋体２を収納することができる。
【００４４】
図１に示すように、このようなシート材３１、３２で構成された包材３は、その基端部に設けられた第１の開封部３３と、先端部に設けられた第２の開封部３４と、第１の開封部３３と第２の開封部３４との間に位置する中間部３５とに分けることができる。
【００４５】
第１の開封部３３は、包材３内に袋体２を収納した状態で、袋体２の挿入口２１に対応する、すなわち、平面視で重なる部分に設けられている。そして、この部分を開封するために第１の開封部３３が用いられる（図２参照）。
【００４６】
一方、第２の開封部３４は、包材３内に袋体２を収納した状態で、袋体２の閉塞部２２側にある折り曲げ部２４５に対応する、すなわち、平面視で重なる部分に設けられている。そして、この部分を開封するために第２の開封部３４が用いられる（図４参照）。
【００４７】
第１の開封部３３と第２の開封部３４とは、開封される構成、すなわち、開封操作については、ほぼ同じであるため、以下、第１の開封部３３の開封される構成について代表的に説明する。
【００４８】
第１の開封部３３は、中間部３５との境界部に、可撓性を有するティアテープ３６が設けられている。このティアテープ３６は、シート材３１、３２に固着されている。また、ティアテープ３６は、その長さがシート材３１、３２の幅（図１中の上下方向の長さ）の合計よりも長いものである。そして、ティアテープ３６の一端部は、外側に突出しており、ティアテープ３６を操作する際に把持される把持部３６１として機能する。また、ティアテープ３６は、その厚さがシート材３１、３２の各厚さよりも厚さが大のものである。
【００４９】
このようなティアテープ３６の把持部３６１を把持して、当該把持部３６１を引張りつつ、包材３の周方向に沿って移動させると、その移動に伴って、シート材３１、３２のティアテープ３６に固着した各部分が切断される。これにより、第１の開封部３３が開封されることとなる。このように、ティアテープ３６を操作するという簡単な操作で、第１の開封部３３を容易かつ確実に開封することができる。従って、包装体１は、包材３の開封操作に優れたものとなっている。
【００５０】
また、図２に示すように、開封された第１の開封部３３は、中間部３５から分離する。この分離した第１の開封部３３は不用なものであり、それ自体のみを廃棄することができる。図４に示すように、開封された第２の開封部３４も、第１の開封部３３と同様に、中間部３５から分離する。この分離した第２の開封部３４は不用なものであり、それ自体のみを廃棄することができる。
【００５１】
図２に示すように、包材３が第１の開封部３３で開封された際、袋体２は、挿入口２１が包材３から露出するとともに、突出する。これにより、図３に示すように、挿入口２１を医療装置２０が挿入可能な程度にまで開口する操作を行なう際、当該挿入口２１およびその周辺部を容易に把持することができ、よって、その開口操作を確実に行なうことができる。
【００５２】
第１の開封部３３と第２の開封部３４との間には、中間部３５が位置している。中間部３５は、第１の開封部３３および第２の開封部３４のいずれの開封部よりも面積が大きい部位となっている。
【００５３】
図７に示すように、中間部３５は、接合部材４ａ、４ｂにて袋体２の折り曲げ部２４４付近と接合されている。接合部材４ａと接合部材４ｂとは、不潔域１０ａを介して互いに対向する位置に配置されている。
【００５４】
また、接合部材４ａ、４ｂは、それぞれ、例えば本実施形態では両面粘着テープで構成されている。これにより、接合部材４ａ、４ｂがそれぞれ簡単な構成のものとなるとともに、袋体２と包材３とを確実に接合することができる。なお、両面粘着テープでの粘着剤（粘着性組成物）としては、ゴム系粘着剤、アクリル系粘着剤、シリコーン系粘着剤等いずれのものでもよい。
【００５５】
そして、中間部３５を把持部として把持して、基端方向に向かって引張った際に、その引張り力は、接合部材４ａを介して袋体２の折り曲げ部２４１〜２４４に伝達するとともに、接合部材４ｂを介しても折り曲げ部２４１〜２４４に伝達する（図７参照）。これにより、折り曲げ部２４１〜２４４がそれぞれ展開し、伸長する（図４、図５、図７参照）。
【００５６】
次に、包装体１の使用方法について説明する。
［１］  まず、図１に示す未使用状態（初期状態）の包装体１を用意する。
【００５７】
［２］  次に、図２に示すように、不潔域１０ａへの進入を許可された操作者（図示せず（以下この操作者を「第１操作者」と言う））は、第１の開封部３３のティアテープ３６の把持部３６１を把持して、前述したように第１の開封部３３に対する開封操作を行なう。これにより、第１の開封部３３が中間部３５から分離され、袋体２の挿入口２１が露出する。また、この分離した第１の開封部３３は、破棄に供される。
【００５８】
［３］  次に、第１操作者は、図３に示すように、袋体２の前記露出した挿入口２１を医療装置２０が挿入可能な程度にまで開口し、その状態を維持したまま、当該挿入口２１に向けて医療装置２０を挿入する。
【００５９】
［４］  次に、第１操作者は、図４に示すように、第２の開封部３４のティアテープ３６の把持部３６１を把持して、第１の開封部３３を開封するときと同様の操作で、第２の開封部３４に対する開封操作を行なう。これにより、第２の開封部３４が中間部３５から分離される。また、この分離した第２の開封部３４は、破棄に供される。
【００６０】
その後、第１操作者は、医療装置２０をさらに先端方向に向かって押し込む。これにより、袋体２の折り曲げ部２４５から閉塞部２２までの部分が中間部３５から突出するとともに、折り曲げ部２４５が医療装置２０によって内側から押し広げられる。そして、第１操作者は、この袋体２の突出した部分２８を、清潔域１０ｂへの進入を許可された操作者（図示せず（以下この操作者を「第２操作者」と言う））に向ける。第２操作者は、袋体２越しに医療装置２０を受け取る。
【００６１】
［５］  次に、第１操作者は、図５に示すように、中間部３５を把持して、そのまま基端方向へ引張る。これにより、袋体２は、前述したように折り曲げ部２４１〜２４４が伸長して、医療装置２０をケーブル２０２まで覆うことができる。
【００６２】
一方、第２操作者は、カテーテル組立体３０を把持して、その基端部を袋体２の接続口２３に挿入する。これにより、カテーテル組立体３０の基端部と医療装置２０の接続部２０１とが接続され、超音波画像を取得することができる。
【００６３】
このように、包装体１では、第２操作者がカテーテル組立体３０を医療装置２０に接続する以前の操作までを、１人の第１操作者でほぼ行なうことができる。これにより、例えば２人の操作者（第１操作者、第２操作者）で交互に各操作を行なう場合よりも、迅速な手技（手術）を行なうことができる。
【００６４】
また、包装体１の使用方法では、第１の開封部３３および第２の開封部３４のうちの第１の開封部３３を第２の開封部３４に先行して開封している。これにより、包材３の開封後に迅速に袋体２への医療装置２０の挿入操作に移行することができる。また、第１の開封部３３のみを開封するため、袋体２の開口部（挿入口２１）へ医療装置２０を確実に挿入することが可能であると言う利点もある。
【００６５】
また、包装体１の使用方法では、第１の開封部３３を開封した後から第２の開封部３４を開封する以前に、袋体２の挿入口２１から医療装置２０を挿入している。これにより、医療装置２０で袋体２の折り曲げ部２４５を押し広げる操作を迅速に行なうことができる。また、袋体２の外側の滅菌性を保ったまま、第１の開封部３３の開封、および医療装置２０の挿入が可能であるため、清潔域１０ｂ外での準備実施が可能になると言う利点もある。
【００６６】
以上、本発明の包装体を図示の実施形態について説明したが、本発明は、これに限定されるものではなく、包装体を構成する各部は、同様の機能を発揮し得る任意の構成のものと置換することができる。また、任意の構成物が付加されていてもよい。
【００６７】
また、本発明の包装体は、前記各実施形態のうちの、任意の２以上の構成（特徴）を組み合わせたものであってもよい。
【００６８】
また、包材の第１の開封部および第２の開封部は、前記実施形態ではこれら双方の開封部が切断により開封されるよう構成されているが、これに限定されず、例えば、第１の開封部および第２の開封部のうちの一方の開封部のみが切断により開封されるよう構成されていてもよい。
【００６９】
また、包材の第２の開封部は、前記実施形態では操作者の手を直接介して開封されているが、これに限定されず、例えば、袋体に医療装置を押し込んで挿入した際に、その押し込み力により開封されてもよい。
【００７０】
また、包材の第１の開封部および第２の開封部は、それぞれ、前記実施形態ではティアテープで開封するよう構成されたものであるが、これに限定されず、例えば、包材のシート材同士の融着した部分を剥離して開封するよう構成されたものであってもよい
また、袋体の折り曲げ部は、図７に示す構成では袋体の挿入口からその反対側の部分を外側に向かってつづら折り状に折り曲げられた部分であるが、これに限定されず、袋体の挿入口からその反対側の部分を内側に向かってつづら折り状に折り曲げられた部分であってもよい。
【００７１】
また、袋体の折り曲げ部の形成数は、図７に示す構成では４つであるが、これに限定されず、例えば、２つ、３つまたは５つ以上であってもよい。
【００７２】
また、袋体と包材とを接合するものは、前記実施形態では一例として両面粘着テープからなるものであるが、これに限定されず、例えば、融着（熱融着、高周波融着、超音波融着等）された融着部からなるものであってもよいし、接着（接着剤や溶媒による接着）された接着部からなるものであってもよい。
【符号の説明】
【００７３】
１            包装体
２            袋体（ドレープ）
２１          挿入口
２２          閉塞部
２３          接続口
２４１、２４２、２４３、２４４、２４５  折り曲げ部
２８          突出した部分
３            包材
３１          シート材
３２          シート材
３３          第１の開封部
３４          第２の開封部
３５          中間部
３６          ティアテープ
３６１        把持部
４ａ、４ｂ    接合部材（接合部）
１０ａ        不潔域
１０ｂ        清潔域
２０          医療装置（医療器具）
２０１        接続部
２０２        ケーブル
２０３        コネクタ（装置側コネクタ）
３０          カテーテル組立体
３０１        カテーテル
３０２        ドライブシャフト（医療用長尺体）
３０３        挿通部
３０４        カテーテル本体
３０５        コネクタ（カテーテル側コネクタ）
４０          接続端子（電源）
５０          ガイドワイヤ
【図１】
2012200439.tif 000003
【図２】
2012200439.tif 000004
【図３】
2012200439.tif 000005
【図４】
2012200439.tif 000006
【図５】
2012200439.tif 000007
【図６】
2012200439.tif 000008
【図７】
2012200439.tif 000009